(57)【特許請求の範囲】
【請求項１】
木製の建具パネルの横方向の中程に設けた上下方向にわたる採光パネル枠部に、透明もしくは半透明の採光パネルを木製の縁固定部材を介して固定した採光機能付建具であって、
前記採光パネルは、硬質の合成樹脂にて形成され、その左右の側端部に、表裏に貫通する係止孔が上下方向に複数穿設されており、
前記縁固定部材は、一方の側端部に上下方向にわたる凹溝部を有し、この凹溝部の両側壁に前記係止孔と対応配置される係合孔が穿設されており、
前記採光パネルの側端部に前記縁固定部材の凹溝部を嵌合し、その凹溝部の両側壁の係合孔と、両側壁間に配された前記採光パネルの係止孔とにピンを挿通させて前記採光パネルの側端部に前記縁固定部材を係止結合させ、前記縁固定部材を木製の前記採光パネル枠部の内側端部に形成された溝状部に各々嵌合し、接着により固着してなることを特徴とする採光機能付建具。
【請求項２】
請求項１において、
前記建具パネルの上下両端面と、前記採光パネルの上下両端面とが面一状に形成されていることを特徴とする採光機能付建具。
【請求項３】
請求項１または２において、
前記採光パネル枠部の溝状部は巾広の浅溝と、この浅溝の底部中程に連設される巾狭の深溝とで二段状に形成されており、
前記縁固定部材には、前記溝状部の深溝に対応した凸条部が形成してあり、
前記縁固定部材の凸条部が前記溝状部の深溝に嵌合され、前記凹溝部の両側壁部分が前記溝状部の浅溝に嵌合されていることを特徴とする採光機能付建具。
【請求項４】
請求項１〜３のいずれか１項において、
前記建具パネルは、前記採光パネルの左右に分離された構成となっており、該分離された左右の建具パネルの巾寸法が異なっていることを特徴とする採光機能付建具。
【請求項５】
請求項１〜４のいずれか１項において、
前記採光パネルを形成する硬質の合成樹脂がアクリル樹脂であることを特徴とする採光機能付建具。
【発明の詳細な説明】
【技術分野】
【０００１】
本発明は、採光パネルを有した採光機能付建具に関する。
【背景技術】
【０００２】
建築物の扉等には、適度な採光を図るために、あるいはデザイン性の向上のために、合成樹脂製の透明または半透明の採光パネルを木製の建具パネルの横方向の中程に設けた採光機能付建具が使用されている（例えば、特許文献１、２参照）。
【０００３】
採光パネルの建具パネルへの固定手段として、例えば特許文献１では、採光パネルの左右の側端部を、左右の両建具パネル材の各々の側端面に設けた凹部に嵌入して固定する方法が採られている。また、特許文献２では、採光パネルの側端部に凸部を設けて、この凸部を建具パネルの凹部に嵌入固定する方法が採られている。これらの文献には、両者の固定を強固にするために、さらに接着材で接合することが記載されている。
【先行技術文献】
【特許文献】
【０００４】
【特許文献１】特開２００４−６０３７８号公報
【特許文献２】特開２００６−１６１３４９号公報
【発明の概要】
【発明が解決しようとする課題】
【０００５】
しかしながら、合成樹脂で製された採光パネルは温度変化により木製の建具パネルよりも大きく熱膨張するため、嵌合または嵌合接合した建具パネルとの間でずれが生じるおそれがある。
【０００６】
特に、建具パネルの上下方向の全長にわたって採光パネルを設けたものなど、長尺の採光パネルを使用したものでは、熱膨張による伸張長さが大きいため、採光パネルが建具パネルの上下端面より目立つ程度に突出してしまい、デザイン性が損なわれることがあった。
【０００７】
本発明は、このような事情を考慮して提案されたもので、その目的は、採光パネルと建具パネルとの固定を強固にして、採光パネルの温度変化による伸縮を阻止できる採光機能付建具を提供することにある。
【課題を解決するための手段】
【０００８】
上記目的を達成するために、本発明に係る採光機能付建具は、木製の建具パネルの横方向の中程に設けた上下方向にわたる採光パネル枠部に、透明もしくは半透明の採光パネルを木製の縁固定部材を介して固定した採光機能付建具であって、採光パネルは、硬質の合成樹脂にて形成され、その左右の側端部に、表裏に貫通する係止孔が上下方向に複数穿設されており、縁固定部材は、一方の側端部に上下方向にわたる凹溝部を有し、この凹溝部の両側壁に係止孔と対応配置される係合孔が穿設されており、採光パネルの側端部に縁固定部材の凹溝部を嵌合し、その凹溝部の両側壁の係合孔と、両側壁間に配された採光パネルの係止孔とにピンを挿通させて採光パネルの側端部に縁固定部材を係止結合させ、縁固定部材を木製の採光パネル枠部の内側端部に形成された溝状部に各々嵌合し、接着により固着してなることを特徴とする。
【０００９】
本発明においては、建具パネルの上下両端面と、採光パネルの上下両端面とが面一状に形成されるようにしてもよい。
【００１０】
また、本発明においては、採光パネル枠部の溝状部は巾広の浅溝と、この浅溝の底部中程に連設される巾狭の深溝とで二段状に形成され、縁固定部材には、溝状部の深溝に対応した凸条部が形成してあり、縁固定部材の凸条部が溝状部の深溝に嵌合され、凹溝部の両側壁部分が溝状部の浅溝に嵌合されるようにしてもよい。
【００１１】
また、本発明においては、採光パネルの左右に分離された構成となっており、該分離された左右の建具パネルの巾寸法が異なったものとしてもよい。
【００１２】
また、本発明においては、採光パネルを形成する硬質の合成樹脂がアクリル樹脂で構成されたものでもよい。
【発明の効果】
【００１３】
本発明の採光機能付建具によれば、上述のような構成としたことで、採光パネルと建具パネルとの固定を強固にでき、それによって採光パネルの温度変化による伸縮を阻止することができる。
【図面の簡単な説明】
【００１４】
【図１】本発明の一実施形態に係る採光機能付建具の概略分解正面図である。
【図２】同採光機能付建具の概略正面図である。
【図３】（ａ）、（ｂ）は採光パネルと縁固定部材の結合手順を示す平面図である。
【図４】（ａ）、（ｂ）は、図３の結合手順によって作製した採光パネルユニットの建具パネルへの取付手順を示す一部断面平面図である。
【図５】（ａ）、（ｂ）は、縁固定部材と採光パネル枠部の他の形状例を示す概略平面図である。
【図６】他の採光機能付建具の概略正面図である。
【発明を実施するための形態】
【００１５】
以下に、本発明の実施形態について、添付図面を参照しながら説明する。
【００１６】
図１〜図４は、本実施形態に係る採光機能付建具の一例の説明図である。図１は採光機能付建具の概略分解正面図、図２は同採光機能付建具の概略正面図、図３（ａ）、（ｂ）は採光パネルと縁固定部材の結合手順を示す平面図、図４（ａ）、（ｂ）は図３の結合手順によって作製した採光パネルユニットの建具パネルへの取付手順を示す一部断面平面図である。
【００１７】
この採光機能付建具１は、図２に示すように、建具パネル３０を構成する２枚の木製の建具パネル材３１、３１の間に、上下方向の全長にわたって採光パネル１０を設けたものである。
【００１８】
本例の採光機能付建具１は、開き戸に使用されるものであり、図１、図２において右側の建具パネル材３１の右側端部が扉縦枠（不図示）に蝶番で結合される。図中の右側の建具パネル材３１の右側端の凹みは蝶番取付部３１ｃであり、左側の建具パネル材３１の上下方向中央の符号３１ｄはドアノブ取付部である。
【００１９】
図１に示すように、採光パネル１０は、建具パネル３０の中程に設けた採光パネル枠部４０、つまり２枚の建具パネル材３１、３１のそれぞれの内側端部に、木製の縁固定部材２０、２０を介して取り付けられている。
【００２０】
なお本実施形態においては、採光パネル枠部４０を建具パネル３０の縦桟３１ａで構成したものを示しているが（図４参照）、これには限定されない。例えば、図１における左側の建具パネル材３１のような細巾のものは、内部に空間を有さない１枚の板材を用いて形成してもよく、そのようなものでは、採光パネル枠部４０が建具パネル材３１の右側端部にて構成される。
【００２１】
採光パネル１０は、透明もしくは半透明のアクリル樹脂等の硬質の合成樹脂にて形成され、その左右の側端部に、表裏に貫通する係止孔１１が上下方向に複数穿設されている。
【００２２】
一方、縁固定部材２０は、採光パネル１０と連結する側端部に上下方向の全長にわたる凹溝部２１を有しており、この凹溝部２１の両側壁２２、２２には、採光パネル１０に形成された係止孔１１と対応配置される係合孔２３が穿設されている。
【００２３】
採光パネル１０と両縁固定部材２０とは、係止孔１１と係合孔２３とを合わせるように嵌合されて、連通状態となった孔にピンを挿通することで結合される。そして、採光パネル１０に結合された両縁固定部材２０、２０のそれぞれは、対応する建具パネル材３１の採光パネル枠部４０に形成した溝状部４１に嵌合固着される。
【００２４】
以下、詳細な各部材の形状および結合構造について、図３、図４に示した手順図を参照しながら説明する。
【００２５】
まず、縁固定部材２０の採光パネル１０への結合について、図３にもとづいて説明する。
【００２６】
縁固定部材２０は、巾広の本体部２４と、巾狭の凸条部２５とよりなり、本体部２４に上記凹溝部２１が形成され、その両側壁２２、２２にピン（ねじ３）を挿通するための係合孔２３が形成されている。また、本体部２４の凹溝部２１の内側面を除く表面には化粧材２４ａが貼着されている。
【００２７】
また、凸条部２５の先端には小溝２５ａが形成されている。この小溝２５ａは、図４で後述するように、縁固定部材２０を建具パネル３０の採光パネル枠部４０の溝状部４１に嵌合接合する際に剰余の接着剤を逃がすための接着剤逃げ代として設けられている。
【００２８】
このような縁固定部材２０を、その凹溝部２１を採光パネル１０の両端部に嵌合することで両者を結合させて、係合孔２３と係止孔１１とを連通状態にする。そして、その連通孔にねじ３を挿通させて、縁固定部材２０と採光パネル１０とを係止結合して採光パネルユニット２を形成する。
【００２９】
ついで、この採光パネルユニット２の建具パネル材３１、３１への結合について、図４にもとづいて説明する。
【００３０】
建具パネル材３１は、その両側端部に縦桟３１ａを有し、横方向には横桟３１ｅが配され、外表面には化粧材３１ｂが貼着されている。建具パネル材３１の一方の側端部に設けた縦桟３１ａは、もう一方の建具パネル材３１の一方の縦桟３１ａとともに採光パネル枠部４０を構成しており、それらの採光パネル枠部４０の内側端部には、図４（ａ）に示すような溝状部４１が上下にわたり形成されている。
【００３１】
この溝状部４１は、巾広の浅溝４１ａと、この浅溝４１ａの底部の中程に連設された巾狭の深溝４１ｂとで二段状に形成されており、この二段状の溝状部４１に、採光パネルユニット２に一体的に取り付けた縁固定部材２０を嵌入できるようになっている。すなわち、溝状部４１の深溝４１ｂには縁固定部材２０の凸条部２５が嵌合し、溝状部４１の浅溝４１ａには縁固定部材２０の本体部２４が嵌合する嵌合構造となっている。
【００３２】
縁固定部材２０の採光パネル枠部４０の溝状部４１への嵌合は、接着剤（不図示）を用いて接合することが望ましい。その接着嵌合時に発生する剰余の接着剤は、上述した縁固定部材２０の小溝２５ａ（接着剤逃げ代）や、採光パネル枠部４０の溝状部４１の深溝４１ｂの底部に形成した凹み部４１ｃ（接着剤逃げ代）に入り込んで表面側にあふれ出ないようになっている。
【００３３】
こうして、採光パネルユニット２を左右の建具パネル材３１に嵌合固着すると、採光パネル枠部４０の内側端面は、建具パネル材３１の化粧材３１ｂと、縁固定部材２０の化粧材２４ａとが略面一となって（図２参照）、あたかも採光パネル１０を直接建具パネル材３１に取り付けたような外観となる。
【００３４】
このように、採光パネル１０は縁固定部材２０をねじ３を用いて固定した状態で建具パネル３０に固着されるため、温度変化により採光パネル１０が上下方向に膨張あるいは収縮しようとしても、それを縁固定部材２０との固定によって抑止することができる。その結果、採光パネル１０を建具パネル３０に対してずれないように固定でき、採光パネル１０が建具パネル３０よりも上下方向に突出したり、凹んだりすることを防止できる。つまりこの採光機能付建具１によれば、温度変化によらず、採光機能付建具１の上下端面を面一状態に維持して見映えが悪くなることを防止できる。特に、本実施形態のように横框を有さない構成のものには有効である。
【００３５】
また、縁固定部材２０の外表面のほとんどが溝状部４１内に隠されるので、正面から見た際に建具パネル３０に別部材を取り付けたようには見えず、よって美観を損なうおそれはない。
【００３６】
さらに、上述したように採光パネル１０と縁固定部材２０とは結合してユニット化できるので、製造も簡易化できる。また、採光パネル１０は合成樹脂で形成されているので、ガラス材のように加工が困難ではなく、係止孔１１の加工も容易に行える。そのため、加工、製造時に採光パネル１０が損傷するおそれもほとんどなく歩留まりも向上する。また、硬質の合成樹脂としてアクリル樹脂を用いているので製造コストを低減化できる。
【００３７】
また、本実施形態では、採光パネル１０の両側に配された、建具パネル３０の左右部分（建具パネル材３１、３１）の巾寸法を異ならせてデザイン性を高めたものを示したが、それには限られず、同巾の建具パネル材を用いてもよい。さらに、採光パネルの形状についても矩形には限られず、種々の形状が適用可能であり、例えば巾寸法が一定でないものや側端部が階段状となったものなどでもよい。
【００３８】
また、採光機能付建具１をより頑丈にするために、上下に、さらに横框を付加した構成としてもよい。
【００３９】
なお、本実施形態においては、採光パネル１０の横寸法は、建具パネル３０の上下方向の全長に相当する縦寸法に比べてはるかに小さい。したがって、採光パネル１０は横方向にも伸縮するおそれはあるものの、伸縮する長さはほとんど無視できる程度であり、そのため横方向への伸縮を阻止するための構造を有さなくてもよい。
【００４０】
ついで、他の実施形態について図５、図６にもとづいて説明する。
【００４１】
図５（ａ）、（ｂ）は、縁固定部材と採光パネル枠部の他の形状例を示す概略平面図である。
【００４２】
図５（ａ）では矩形の溝状部４１に全体がそのまま嵌合できる断面略矩形の縁固定部材２０が用いられ、図５（ｂ）では矩形の溝状部４１に一部（凸条部２５）が嵌合できる縁固定部材２０が用いられる。なお、縁固定部材２０の採光パネル枠部４０への固着は接着剤を用いることが望ましい。
【００４３】
このように、縁固定部材２０と採光パネル枠部４０の溝状部４１の少なくとも一方を簡易な形状とすることで、採光機能付建具１を低コストで製造することができる。
【００４４】
なお、本実施形態では、図５において図１〜図４に示した同一の構成部について同一の符号を付して、その説明を割愛する。
【００４５】
図６は、上下に横框を備えた採光機能付建具の正面図である。
【００４６】
この採光機能付建具１は、図１に示した採光機能付建具１と比較して、横寸法の大きな採光パネル１０を備えている。
【００４７】
このように横方向に大きな採光パネル１０を用いる場合、図６に示すように、採光パネル１０の横方向への伸縮を阻止するために、上下に横框５を設けて採光パネル１０を固定するようにしてもよい。すなわち、この横框５と採光パネル１０とは、採光パネル１０の左右側端部と同様に、縁固定部材２０を介して固定されている。なお、固定構造については、図３、図４のものとほぼ同じであるため、符号のみを付して説明を割愛する。
【００４８】
このように、上下左右で採光パネル１０を固定できるので、採光パネル１０の上下左右方向への伸縮、および、それによる採光機能付建具１の上下左右方向の伸縮、歪み等を阻止することができる。
【００４９】
上記実施形態では採光機能付建具１として開き戸を例示したが、これには限定されず、引戸、間仕切壁など種々の建具にも適用可能である。
【符号の説明】
【００５０】
１      採光機能付建具
２      採光パネルユニット
３      ねじ（ピン）
１０      採光パネル
１１      係止孔
２０      縁固定部材
２１      凹溝部
２２      側壁
２３      係合孔
２４      本体部
２４ａ      化粧材
２５      凸条部
２５ａ      小溝（接着剤逃げ代）
３０      建具パネル
３１      建具パネル材
３１ａ      縦桟
３１ｂ      化粧材
３１ｃ      蝶番取付部
３１ｄ      ドアノブ取付部
４０      採光パネル枠部
４１      溝状部
４１ａ      浅溝
４１ｂ      深溝
４１ｃ      凹み部（接着剤逃げ代）
【図１】
0005673410.tif 000002
【図２】
0005673410.tif 000003
【図３】
0005673410.tif 000004
【図４】
0005673410.tif 000005
【図５】
0005673410.tif 000006
【図６】
0005673410.tif 000007